【手続補正書】
【提出日】平成26年9月19日(2014.9.19)
【手続補正１】
【補正対象書類名】明細書
【補正対象項目名】発明の名称
【補正方法】変更
【補正の内容】
【発明の名称】動画処理装置、動画処理方法及びプログラム
【手続補正２】
【補正対象書類名】明細書
【補正対象項目名】０００１
【補正方法】変更
【補正の内容】
【０００１】
本発明は、動画の撮影を行う動画処理装置、動画処理方法及びプログラムに関する。
【手続補正３】
【補正対象書類名】明細書
【補正対象項目名】０００６
【補正方法】変更
【補正の内容】
【０００６】
上記目的を達成するため、本発明の一態様の動画処理装置は、動画のフレーム内に存在する所定の特徴点を検出する特徴点検出手段と、前記特徴点検出手段により検出された特徴点の動画内での変化状態が所定の変化状態を示すフレームの位置を特定するフレーム特定手段と、前記フレーム特定手段によりフレームの位置を特定する条件となる前記所定の変化状態を、他の動画と共通化する同期制御手段と、を備えることを特徴とする。
【手続補正４】
【補正対象書類名】明細書
【補正対象項目名】０００７
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
動画のフレーム内に存在する所定の特徴点を検出する特徴点検出手段と、
前記特徴点検出手段により検出された特徴点の動画内での変化状態が所定の変化状態を示すフレームの位置を特定するフレーム特定手段と、
前記フレーム特定手段によりフレームの位置を特定する条件となる前記所定の変化状態を、他の動画と共通化する同期制御手段と、
を備えることを特徴とする動画処理装置。
【請求項２】
前記フレーム特定手段により特定された撮影フレームの位置情報を用いて前記動画についての所定処理を実行する実行手段を更に備え、
前記同期制御手段は、前記フレーム特定手段によりフレームの位置を特定する条件となる前記所定の変化状態を、他の動画と共通化することにより、前記実行手段により実行する前記所定処理のタイミングを他の動画と同期させる
ことを特徴とする請求項１に記載の動画処理装置。
【請求項３】
複数のカメラで同期撮影を行う場合に、
前記特徴点検出手段は、前記同期制御手段の制御に応じて、各々のカメラの撮影フレーム内に共通して存在する特徴点を検出し、
前記フレーム特定手段は、前記同期制御手段の制御に応じて、前記特徴点検出手段により検出された特徴点の変化状態が各々のカメラで一致する撮影フレームの位置を各々特定し、
前記実行手段は、前記同期制御手段の制御に応じて、前記フレーム特定手段により特定された撮影フレームの位置情報を用いて他のカメラと同期した動画の撮影処理を実行する
ことを特徴とする請求項２に記載の動画処理装置。
【請求項４】
前記フレーム特定手段は、前記特徴点の移動方向または移動方向の変化状態が所定の変化状態を示すフレームの位置を特定することを特徴とする請求項２または３に記載の動画処理装置。
【請求項５】
前記実行手段は、前記同期制御手段の制御に応じて、前記フレーム特定手段により特定された各々のフレームの位置情報を用いて、これらのフレームの再生タイミングが他の動画と一致するように動画の記録または再生を行うことを特徴とする請求項２または３に記載の動画処理装置。
【請求項６】
前記実行手段は、前記フレーム特定手段により前記フレームが特定される前から動画の記録を開始し、前記特定した撮影フレームを基準としてその前後の記録フレームのトリミングを行うことを特徴とする請求項５に記載の動画処理装置。
【請求項７】
前記フレーム特定手段は、他の何らかの手法により複数のカメラで同期撮影を行って記録した複数の動画データに対して、上記共通する特徴点の検出及び変化状態の一致する撮影フレームの特定を行い、
前記同期制御手段は、前記実行手段が前記フレーム特定手段により特定された撮影フレームを基準として記録フレームのトリミングを行う場合に、他の動画との一致制御を行う
ことを特徴とする請求項２乃至６のいずれかに記載の動画処理装置。
【請求項８】
同期撮影を行う複数のカメラの撮影方向の違いを検出する撮影方向検出手段を更に備え、
前記フレーム特定手段は、前記同期制御手段の制御に応じて、前記撮影方向検出手段により検出された撮影方向の違いに基づいて、前記特徴点の変化状態が一致する撮影フレームの位置を各々のカメラで特定することを特徴とする請求項３に記載の動画処理装置。
【請求項９】
前記撮影方向検出手段は、被写体の方向に対するカメラの撮影方向を検出し、
前記特徴点検出手段は、前記撮影方向検出手段により検出された撮影方向に基づいて検出すべき前記特徴点の移動方向を決定することを特徴とする請求項８に記載の動画処理装置。
【請求項１０】
検出すべき特徴点としてユーザが任意に指定した被写体の部位を受け付ける指定部位受付手段を更に備え、
前記フレーム特定手段は、前記指定部位受付手段により受け付けられた部位の検出すべき移動方向を、検出されたカメラの撮影方向に基づいて決定することを特徴とする請求項９に記載の動画処理装置。
【請求項１１】
検出すべき特徴点の移動方向をユーザが任意に指定した移動方向を受け付ける指定方向受付手段を更に備え、
前記フレーム特定手段は、前記指定方向受付手段により受け付けられた移動方向と、各カメラの撮影方向に基づいて、各カメラにおいて検出すべき特徴点の移動方向を決定することを特徴とする請求項３に記載の動画処理装置。
【請求項１２】
前記同期制御手段は、前記フレーム特定手段により特定された撮影フレームから各々の動画の記録を開始することを特徴とする請求項５に記載の動画処理装置。
【請求項１３】
前記特徴点検出手段は、被写体の検出対象部分に設けたＬＥＤの光を検出することにより前記特徴点を検出することを特徴とする請求項１乃至１１のいずれかに記載の動画処理装置。
【請求項１４】
前記特徴点検出手段は、一定間隔で点滅された前記ＬＥＤの光を、前記特徴点として検出することを特徴とする請求項１３に記載の動画処理装置。
【請求項１５】
複数の動画を同期再生する場合に、
前記特徴点検出手段は、前記同期制御手段の制御に応じて、各々のカメラの再生フレーム内に共通して存在する特徴点を検出し、
前記フレーム特定手段は、前記同期制御手段の制御に応じて、前記特徴点検出手段により検出された特徴点の変化状態が各々の動画で一致する再生フレームの位置を各々特定し、
前記実行手段は、前記同期制御手段の制御に応じて、前記フレーム特定手段により特定された再生フレームの位置情報を用いて他の動画と同期した動画の再生処理を実行する
ことを特徴とする請求項２乃至１２のいずれかに記載の動画処理装置。
【請求項１６】
他の何らかの方法により複数のカメラで同期撮影を行って記録した複数の動画データに対して、前記特徴点検出手段による前記共通する前記特徴点の検出及び前記フレーム特定手段による前記変化状態の一致するフレームの特定を行い、
前記実行手段は、前記同期制御手段の制御に応じて、前記フレーム特定手段により特定されたフレームを基準として他の動画との再生タイミングの一致制御を行うことを特徴とする請求項１５に記載の再生制御装置。
【請求項１７】
動画のフレーム内に存在する所定の特徴点を検出する特徴点検出処理と、
前記特徴点検出処理により検出された特徴点の動画内での変化状態が所定の変化状態を示すフレームの位置を特定するフレーム特定処理と、
前記フレーム特定処理によりフレームの位置を特定する条件となる前記所定の変化状態を、他の動画と共通化する同期制御処理と、
を含むことを特徴とする動画処理方法。
【請求項１８】
動画処理装置のコンピュータを、
動画のフレーム内に存在する所定の特徴点を検出する特徴点検出手段と、
前記特徴点検出手段により検出された特徴点の動画内での変化状態が所定の変化状態を示すフレームの位置を特定するフレーム特定手段と、
前記フレーム特定手段によりフレームの位置を特定する条件となる前記所定の変化状態を、他の動画と共通化する同期制御手段と、
として機能させることを特徴とするプログラム。